(57)【要約】【課題】ユーザの操作負担が軽減すると共に、送信間違いを抑制することができる画像処理装置を提供すること。【解決手段】ＬＣＤ４１において、スキャナ３により読み取った画像データの内容を示すプレビュー画像と、複数の送信先とが１つの画面内に表示されるので、ユーザは、送信先と、プレビュー画像とを同時に視認しつつ設定を行うことができる。よって、送信先とその送信先に送信するページとの対応付けの操作の誤りが生じ難く、送信誤りを抑制することができる。【選択図】図５
2008148052.tif 000002
【特許請求の範囲】
【請求項１】
画像データを読み取る読取手段を備え、その読取手段により読み取った画像データを送信する画像処理装置において、
前記読取手段により読み取った画像データの内容を示すプレビュー画像と、複数の送信先とを１つの画面内に表示する送信情報表示手段と、
その送信情報表示手段によりプレビュー画像が表示された画像データと、前記送信情報表示手段に表示された複数の送信先のうちユーザによって設定された送信先との対応付けを記憶する対応設定手段と、
その対応設定手段により記憶された対応関係に従って、前記画像データを、対応する送信先に送信する送信手段とを備えることを特徴とする画像処理装置。
【請求項２】
前記送信情報表示手段は、複数ページ分の画像データのプレビュー画像を１つの画面内に並べて表示するものであり、
前記対応設定手段は、
前記送信情報表示手段により表示されたプレビュー画像をページ単位でユーザに設定させるプレビュー画像設定手段を備え、
そのプレビュー画像設定手段によりページ単位でユーザに設定されたプレビュー画像の画像データと、ユーザによって設定された送信先との対応付けを記憶するものであることを特徴とする請求項１記載の画像処理装置。
【請求項３】
前記送信情報表示手段は、前記読取手段により読み取った複数ページ分の画像データのうち、所定ページ分の画像データのプレビュー画像を表示対象として１つの画面内に並べて表示するものであり、
ユーザの操作に応じて画面の表示内容をスクロールし、表示対象のプレビュー画像を変更するスクロール手段を備えることを特徴とする請求項２記載の画像処理装置。
【請求項４】
前記送信情報表示手段は、前記複数の送信先のうち少なくとも１つを区別して表示するものであって、且つ、その区別して表示された送信先に対応付けられたプレビュー画像を、他のプレビュー画像と区別して表示するものであることを特徴とする請求項２または３に記載の画像処理装置。
【請求項５】
前記送信手段は、前記読取手段により読み取った１ページ以上から構成される画像データのうち、各送信先に対応するページの画像データを各送信先に送信するものであり、
前記送信手段により各送信先に対し、その送信先に対応するページの画像データを送信する際における、その画像データを構成する各ページの送信順序を決定する送信順序決定手段を備え、
その送信順序決定手段は、前記プレビュー画像設定手段におけるユーザの設定順序に従って、各送信先に対する各ページの送信順序をそれぞれ決定するものであることを特徴とする請求項２から４のいずれかに記載の画像処理装置。
【請求項６】
前記送信情報表示手段は、前記送信順序決定手段により決定された各ページの送信順序を、プレビュー画像近傍に表示する送信順序表示手段を備えることを特徴とする請求項５記載の画像処理装置。
【請求項７】
前記送信順序表示手段は、前記送信情報表示手段により表示された送信先のうち、ユーザによって設定された送信先に対する送信順序を表示するものであることを特徴とする請求項６記載の画像処理装置。
【請求項８】
前記送信順序表示手段は、前記送信順序決定手段により決定された送信順序を、各送信先毎に色分けして表示するものであることを特徴とする請求項６または７に記載の画像処理装置。
【請求項９】
前記送信情報表示手段は、前記送信順序決定手段により決定された送信順序に従って、プレビュー画像を並べ替えて表示するプレビュー画像並替手段を備えることを特徴とする請求項５記載の画像処理装置。
【請求項１０】
送信先情報が登録された送信先情報記憶手段と、
その送信先情報記憶手段に登録された送信先情報と、その送信先情報のうちユーザによって設定された送信先とを１つの画面内に表示する設定送信先表示手段とを備えることを特徴とする請求項１から９のいずれかに記載の画像処理装置。
【発明の詳細な説明】
【技術分野】
【０００１】
本発明は画像処理装置に関し、特に、ユーザの操作負担が軽減すると共に送信間違いを抑制することができる画像処理装置に関するものである。
【背景技術】
【０００２】
ファクシミリ装置において、複数宛先に同一内容のデータを送信する同報送信が知られている。同報送信を利用すれば、原稿の読み取りは一回だけで複数宛先に同一データを送ることができるので、複数宛先に一括して送信する場合に、ユーザの手間を削減できる。
【０００３】
一方、複数ページの原稿を読み取り、その複数ページのデータを複数の送信宛先に送信する際、あるページは全ての送信宛先に共通に送信したいが、他のページについては、各送信宛先に個別に送信したい場合がある。例えば、ファクシミリ送信をする際、送信する原稿の先頭ページに送付書を付け、その送付書に、送信相手の名前などを記載することがよく行われているが、この先頭ページの送付書のみ、各送信相手にそれぞれ個別のものを添付し、２ページ目以降は、各送信相手に共通して送信したい場合がある。
【０００４】
このような課題を解決するために、読み取った複数ページ分の画像データのうち、必要なページのみを各送信先に振り分けて送信する画像処理装置が提案されている（例えば、特許文献１参照）。具体的には、ユーザは、設定した複数送信先から送信先を１つずつ選択し、その送信先に対し送信するページを選択し、１の送信先に対するページを全て選択した後、次の送信先を選択し、その送信先に対し送信するページを選択する処理を繰り返す。このようにして、複数の送信先の各々に対し、送信すべきページを設定するにより、原稿の読み取りは一回だけで、複数の送信先に、それぞれ必要なページのみを個別送信することができる。したがって、例えば、先頭ページのみ、それぞれ別の送付書を付けて各送信先へ送信することができる。
【特許文献１】特開２００４−１７２８７４号公報
【発明の開示】
【発明が解決しようとする課題】
【０００５】
しかしながら、上記特許文献１に記載された発明では、まず、送信先をユーザに選択させるために、アドレス選択画面が表示され、そのアドレス選択画面から１の送信先が選択されると、次に、そのアドレス選択画面を消去して、読み込んだ原稿のプレビュー画像を表示し、その表示から選択中の送信先に対し送信すべきページを設定させていた。このようにすると、ユーザは設定作業中に、プレビュー画像と送信先とを同時に確認することはできないので、単調な設定作業を各送信先について繰り返すうち、現在対象としている送信宛先を勘違いしたままページを選択し、送信間違いが生じ易いという問題点があった。
【０００６】
本発明は、上記問題点を解決するためになされたものであり、ユーザの操作負担が軽減すると共に、送信間違いを抑制することができる画像処理装置を提供することを目的としている。
【課題を解決するための手段】
【０００７】
この目的を達成するために、請求項１記載の画像処理装置は、画像データを読み取る読取手段を備え、その読取手段により読み取った画像データを送信するものであって、前記読取手段により読み取った画像データの内容を示すプレビュー画像と、複数の送信先とを１つの画面内に表示する送信情報表示手段と、その送信情報表示手段によりプレビュー画像が表示された画像データと、前記送信情報表示手段に表示された複数の送信先のうちユーザによって設定された送信先との対応付けを記憶する対応設定手段と、その対応設定手段により記憶された対応関係に従って、前記画像データを、対応する送信先に送信する送信手段とを備えることを特徴とする。
【０００８】
請求項２記載の画像処理装置は、請求項１記載の画像処理装置において、前記送信情報表示手段は、複数ページ分の画像データのプレビュー画像を１つの画面内に並べて表示するものであり、前記対応設定手段は、前記送信情報表示手段により表示されたプレビュー画像をページ単位でユーザに設定させるプレビュー画像設定手段を備え、そのプレビュー画像設定手段によりページ単位でユーザに設定されたプレビュー画像の画像データと、ユーザによって設定された送信先との対応付けを記憶するものであることを特徴とする。
【０００９】
請求項３記載の画像処理装置は、請求項２記載の画像処理装置において、前記送信情報表示手段は、前記読取手段により読み取った複数ページ分の画像データのうち、所定ページ分の画像データのプレビュー画像を表示対象として１つの画面内に並べて表示するものであり、ユーザの操作に応じて画面の表示内容をスクロールし、表示対象のプレビュー画像を変更するスクロール手段を備えることを特徴とする。
【００１０】
請求項４記載の画像処理装置は、請求項２または３に記載の画像処理装置において、前記送信情報表示手段は、前記複数の送信先のうち少なくとも１つを区別して表示するものであって、且つ、その区別して表示された送信先に対応付けられたプレビュー画像を、他のプレビュー画像と区別して表示するものであることを特徴とする。
【００１１】
請求項５記載の画像処理装置は、請求項２から４のいずれかに記載の画像処理装置において、前記送信手段は、前記読取手段により読み取った１ページ以上から構成される画像データのうち、各送信先に対応するページの画像データを各送信先に送信するものであり、前記送信手段により各送信先に対し、その送信先に対応するページの画像データを送信する際における、その画像データを構成する各ページの送信順序を決定する送信順序決定手段を備え、前記送信順序決定手段は、前記プレビュー画像設定手段におけるユーザの設定順序に従って、各送信先に対する各ページの送信順序をそれぞれ決定するものであることを特徴とする。
【００１２】
請求項６記載の画像処理装置は、請求項５記載の画像処理装置において、前記送信情報表示手段は、前記送信順序決定手段により決定された各ページの送信順序を、プレビュー画像近傍に表示する送信順序表示手段を備えることを特徴とする。
【００１３】
請求項７記載の画像処理装置は、請求項６記載の画像処理装置において、前記送信順序表示手段は、前記送信情報表示手段により表示された送信先のうち、ユーザによって設定された送信先に対する送信順序を表示するものであることを特徴とする。
【００１４】
請求項８記載の画像処理装置は、請求項６または７に記載の画像処理装置において、前記送信順序表示手段は、前記送信順序決定手段により決定された送信順序を、各送信先毎に色分けして表示するものであることを特徴とする。
【００１５】
請求項９記載の画像処理装置は、請求項５記載の画像処理装置において、前記送信情報表示手段は、前記送信順序決定手段により決定された送信順序に従って、プレビュー画像を並べ替えて表示するプレビュー画像並替手段を備えることを特徴とする。
【００１６】
請求項１０記載の画像処理装置は、請求項１から９のいずれかに記載の画像処理装置において、送信先情報が登録された送信先情報記憶手段と、その送信先情報記憶手段に登録された送信先情報と、その送信先情報のうちユーザによって設定された送信先とを１つの画面内に表示する設定送信先表示手段とを備えることを特徴とする。
【発明の効果】
【００１７】
請求項１記載の画像処理装置によれば、送信情報表示手段により、画像データの内容を示すプレビュー画像と、複数の送信先とが１つの画面内に表示される。そして、その送信情報表示手段によりプレビュー画像が表示された画像データと、送信情報表示手段に表示された複数の送信先のうちユーザによって設定された送信先との対応付けが、対応設定手段により記憶され、その記憶された対応付けに従って、画像データが、対応する送信先に送信される。よって、読取手段により一度に読み取った画像データであっても、複数の送信先に個別に対応付けて送信することができる。したがって、ユーザの操作負担が軽減すると共に、プレビュー画像と複数の送信先とが１つの画面に表示されているので、画像データと送信先との対応付けの操作に誤りが生じ難く、送信間違いを抑制できるという効果がある。
【００１８】
請求項２記載の画像処理装置によれば、請求項１記載の画像処理装置の奏する効果に加え、ページ単位でユーザに設定されたプレビュー画像の画像データと、ユーザによって設定された送信先との対応付けが記憶されるので、複数の送信先に個別のページを対応付けて送信することができ、ユーザの操作負担を軽減することができるという効果がある。また、プレビュー画像をページ単位でユーザに設定させるので、画像データの各ページと送信先との対応付けの操作に誤りが生じ難く、送信間違いを抑制できるという効果がある。
【００１９】
請求項３記載の画像処理装置によれば、請求項２記載の画像処理装置の奏する効果に加え、ユーザの操作に応じて画面の表示内容をスクロールし、表示対象のプレビュー画像を変更するスクロール手段を備えるので、ページ数が多い場合であっても、ユーザは目的とするページのプレビュー画像を容易に視認することができ、操作が容易であるという効果がある。
【００２０】
請求項４記載の画像処理装置によれば、請求項２または３に記載の画像処理装置の奏する効果に加え、送信情報表示手段は、複数の送信先のうち少なくとも１つを区別して表示するものであって、且つ、その区別して表示された送信先に対応付けられたプレビュー画像を、他のプレビュー画像と区別して表示するので、送信先とプレビュー画像との対応付けを容易に視認することができ、画像データと送信先との対応付けの操作に誤りが生じ難いという効果がある。
【００２１】
請求項５記載の画像処理装置によれば、請求項２から４のいずれかに記載の画像処理装置の奏する効果に加え、プレビュー画像設定手段におけるユーザの設定順序に従って、各送信先に対する各ページの送信順序をそれぞれ決定する送信順序決定手段を備えているので、画像データのページの送信順序を各送信先に対し個別に設定できる。よって、読取手段により画像データを読み取る際の各ページの読取順序を工夫する必要がなく、ユーザの操作負担を軽減できるという効果がある。
【００２２】
請求項６記載の画像処理装置によれば、請求項５記載の画像処理装置の奏する効果に加え、送信情報表示手段は、送信順序決定手段により決定された各ページの送信順序を、プレビュー画像近傍に表示するので、決定された送信順序をユーザが容易に把握できるという効果がある。
【００２３】
請求項７記載の画像処理装置によれば、請求項６記載の画像処理装置の奏する効果に加え、送信順序表示手段は、送信情報表示手段により表示された送信先のうち、ユーザによって設定された送信先に対する送信順序を表示するので、ユーザは、確認したい送信先を設定することにより、その送信先に対するページの送信順序を容易に把握できるという効果がある。
【００２４】
請求項８記載の画像処理装置によれば、請求項６または７に記載の画像処理装置の奏する効果に加え、送信順序表示手段は、送信順序決定手段により決定された送信順序を、各送信先毎に色分けして表示するので、複数の送信先の各々について送信順序を一度に表示したとしても、ユーザは各送信先に対するページの送信順序をそれぞれ識別して把握できるという効果がある。
【００２５】
請求項９記載の画像処理装置によれば、請求項５記載の画像処理装置の奏する効果に加え、送信順序決定手段により決定された送信順序に従って、プレビュー画像を並べ替えて表示するプレビュー画像並替手段を備えるので、ユーザが送信順序を容易に把握できるという効果がある。
【００２６】
請求項１０記載の画像処理装置によれば、請求項１から９のいずれかに記載の画像処理装置の奏する効果に加え、送信先情報記憶手段に登録された送信先情報と、その送信先情報のうちユーザによって設定された送信先とを１つの画面内に表示する設定送信先表示手段とを備えるので、ユーザは、送信先情報帳記憶手段にと黒くされた送信先情報と、既に設定した送信先とを一覧することができ、送信先の設定に誤りが生じ難いという効果がある。
【発明を実施するための最良の形態】
【００２７】
以下、本発明の好ましい実施形態について、添付図面を参照して説明する。図１は、本発明における実施形態の複合機１の外観構成を示す斜視図であり、図２は原稿カバー８が開けられた状態の複合機１の外観構成を示す斜視図である。なお、以下の実施形態は本発明を具体化した一例にすぎず、本発明の要旨を変更しない範囲で、実施例を適宜変更できることは言うまでもない。
【００２８】
図示するように、本複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、コピー機能、ファクシミリ機能、パーソナルコンピュータ（ＰＣ）など外部のコンピュータ（図示せず）から受信したデータを記録用紙に記録（印刷）するプリンタ機能など複数の機能を実現する。
【００２９】
スキャナ３は、ＦＢＳ（Ｆｌａｔｂｅｄ  Ｓｃａｎｎｅｒ）として機能する原稿読取台６に対して、自動原稿搬送機構（ＡＤＦ：Ａｕｔｏ  Ｄｏｃｕｍｅｎｔ  Ｆｅｅｄｅｒ、以下「ＡＤＦ」という。）７を備えた原稿カバー８が、背面側の蝶番１１(図２参照)を介して開閉自在に取り付けられてなる。図２に示すように、原稿読取台６の上面にはプラテンガラス１２が配設されており、原稿読取台６の内部には、図示しない画像読取ユニットが内蔵されている。
【００３０】
プラテンガラス１２は、縦幅より横幅が長い平面視で横長の長方形に形成されている。このプラテンガラス１２は、長方形の原稿を横向きに載置することが可能な大きさを有する。ここで、上記した横向きとは、原稿の長辺が横を向くように、言い換えれば、原稿の長辺が複合機１の幅方向に揃えられる向きである。
【００３１】
原稿読取台６の上面は大きく開口されており、その開口部にプラテンガラス１２が嵌め込まれている。原稿読取台６の内部には、上記画像読取ユニットの移動スペースや、画像読取ユニット或いはそれを支持する部材および駆動させる機構などを配設するスペースが確保されているため、原稿読取台６の上面はプラテンガラス１２よりも大きく形成されているが、原稿読取台６は、プラテンガラス１２と平面視で概ね相似形に形成されている。即ち、原稿読取台６は、プラテンガラス１２と同様に、平面視で横方向に長く且つ所定高さの直方体に形成されている。
【００３２】
このように構成されたスキャナ３をＦＢＳとして使用する場合は、原稿カバー８を開いてプラテンガラス１２上に原稿を載置し、その後、原稿カバー８を閉じて当該原稿を固定する。そして、読取開始指令が入力されると、上記画像読取ユニットがプラテンガラス１２の裏面に沿って走査される。これにより、ＦＢＳによる原稿の画像読取りが行われる。
【００３３】
上記画像読取ユニットは、複合機１の奥行き方向を主走査方向とするラインイメージセンサを備えたものであり、光源を発光させて原稿に光を照射し、原稿からの反射光をレンズにより光電変換素子に導き、光電変換素子が反射光強度に応じた電気信号を出力することによって画像を読み取る。ラインイメージセンサとしては、密着型のＣＩＳ（Ｃｏｎｔａｃｔ  Ｉｍａｇｅ  Ｓｅｎｓｏｒ）、或いは、縮小光学系のＣＣＤ（Ｃｈａｒｇｅ  Ｃｏｕｐｌｅｄ  Ｄｅｖｉｃｅ）や、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ：相補型金属酸化膜半導体）などを適用することができる。なお、画像読取ユニットやスキャナ３の内部構成の構成は本発明に直接関係がないので、ここでは詳細な説明は省略する。
【００３４】
ＡＤＦ７は、原稿トレイ９から原稿排出トレイ１０へ原稿搬送路を通じて原稿を搬送するものである。ＡＤＦ７による原稿の搬送過程において、原稿が原稿読取台６上の読取面１３を通過され、該読取面１３の下方に待機する上記画像読取ユニットによって該原稿の画像が読み取られる。このようなＡＤＦ７による画像読取りは、原稿カバー８が原稿読取台６に対して閉じられた状態で行われる。なお、本発明においてＡＤＦ７は任意の構成であり、スキャナ３がＡＤＦ７を具備せず、ＦＢＳとしてのみ画像読取を行うものであってもよい。ＡＤＦ７の詳細な説明については省略する。
【００３５】
プリンタ２は、スキャナ３で読み取られた画像データ或いは外部から入力された画像データに基づいて、記録用紙上に画像を記録する画像記録装置である。このプリンタ２は、上述したように、スキャナ３の下方に配設されている。スキャナ３とプリンタ２は、それらの背面が同一面となるように位置決めされているため、複合機１の背面は凸凹のない平坦形状となっている。なお、プリンタ２の画像記録方式としては、インクジェット方式、電子写真方式や熱転写方式などの種々の画像記録方式を採用することができるのはもちろんである。
【００３６】
複合機１の正面側、換言すれば、プリンタ２の正面側には開口５が形成されている。この開口５内に給紙トレイ１４及び排紙トレイ１５が完全に内包されるように設けられている。給紙トレイ１４と排紙トレイ１５は上下二段となるように配設されており、上段に排紙トレイ１５が設けられ、その下方に給紙トレイ１４が設けられている。
【００３７】
プリンタ２には、給紙トレイ１４の奥側から上方へ延びた後に正面側へＵ字状に湾曲して排紙トレイ１５に連結される用紙搬送路が設けられている。給紙トレイ１４に収容された記録用紙は、その短辺を先頭にして用紙搬送路に送り出され、Ｕターン搬送されることによって用紙搬送路中に設けられた画像記録位置に案内される。そして、該画像記録位置で、上記インクジェット記録装置によって画像が記録用紙に記録される。画像記録後の記録用紙は排紙トレイ１５に排出される。
【００３８】
複合機１の正面側には、操作パネル４が設けられている。操作パネル４は、図１および図２に示す如く横長形状に形成されている。操作パネル４は、プリンタ２やスキャナ３を操作するためのものであり、各種操作キー４０と液晶ディスプレイ（ＬＣＤ：Ｌｉｑｕｉｄ  Ｃｒｙｓｔａｌ  Ｄｉｓｐｌａｙ）４１とを具備する。ユーザは、操作パネル４を用いて、所望の指令を入力することができる。複合機１に所定の指令が入力されると、その入力された情報に基づいて該複合機１の動作が制御部２０（図３参照）によって制御される。
【００３９】
なお、複合機１は、操作パネル４から入力された指令のほか、ＰＣなどのコンピュータに接続されて該コンピュータからプリンタドライバやスキャナドライバ等を介して送信される指令に基づいて動作するようにシステム構成されている。
【００４０】
図１および図２に示すように、ＬＣＤ４１は、操作パネル４に配置可能な最大の縦幅に大型化されている。一方、ＬＣＤ４１の横幅（横寸法）は、その縦幅の４／３倍よりも長いものである。換言すれば、ＬＣＤ４１の縦幅に対する横幅の寸法の比率が４／３より大きく設定されている。ＬＣＤ４１の縦幅に対する横幅の比率は８／３となっている。また、このＬＣＤ４１は、フルカラーでの表示が可能に構成されている。ファクシミリ送信をする際、このＬＣＤ４１には、宛先入力画面（図４参照）、設定画面（図５参照）、確認画面（図６参照）が表示されるが、これらについては各図を参照しつつ後述する。
【００４１】
図３を参照して、複合機１の動作を制御する制御部２０の概略構成について説明する。図３は、複合機１の制御部２０の概略構成を示すブロック図である。制御部２０は、プリンタ２、スキャナ３及び操作パネル４を含む複合機１の動作を統括的に制御するものである。制御部２０は、図に示すように、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００４２】
ＣＰＵ２１は、この複合機１を総括的に制御する中央演算処理であり、図７から図９のフローチャートで示す処理を実行するプログラムなどの各種プログラムを実行する。ＲＯＭ２２には、複合機１の各種動作を制御するためのプログラム等が格納されている。
【００４３】
ＲＡＭ２３は、ＣＰＵ２１が上記プログラムを実行する際に用いる各種データを一時的に記録する記憶領域又は作業領域として使用されるものであり、画像データメモリ２３１と、対応メモリ２３２とを備える。
【００４４】
画像データメモリ２３１は、スキャナ３により読み取られた画像データが格納されるメモリである。なお、画像データは、１ページ以上のデータから構成されるものであり、以下、画像データを構成するページ単位のデータを「ページ」と称する。
【００４５】
対応メモリ２３２は、送信先と、その送信先に対し送信する画像データとの対応付が記憶するメモリである。この送信先と画像データとの対応付けは、ユーザによって設定されるが、詳細は図５を参照して後述する。
【００４６】
本実施形態の複合機１では、この対応メモリ２３２に記憶された対応関係に基づいてファクシミリ送信が実行される。例えば、対応メモリ２３２において、送信先「江川○」には、スキャナ３により読み取った画像データのうち、１ページ目と３ページ目とが対応付けられている場合、送信先「江川○」には、１ページ目と３ページ目のみが送信される。一方、対応メモリ２３２において、送信先「加賀○○」には、スキャナにより読み取った画像データのうち、２ページ目と３ページ目とが対応付けられている場合、送信先「加賀○○」には、２ページ目と３ページ目のみが送信される。このようにすれば、ユーザは、スキャナ３により複数ページ分の画像データのうち、必要なページのみを各送信先に対応付けることにより、各送信先に必要なページのみを送信することができるので、読み取り作業が１回でよく、ユーザの操作負担を軽減することができる。なお対応メモリ２３２には、各送信先に対し送信するページの送信順序も併せて記憶されるが、ページの送信順序については、図５を参照して後述する。
【００４７】
ＥＥＰＲＯＭ２４は、電話帳メモリ２４１を備える。電話帳メモリ２４１は、ユーザ操作によって登録された送信相手先名と電話番号（ファクシミリ番号）を格納するメモリである。なお、送信先名と電話番号とが、特許請求の範囲に記載の「送信先情報」の一例に該当する。ＡＳＩＣ２６は、ＣＰＵ２１からの指令に従い、プリンタ２、スキャナ３、操作パネル４の動作制御を行う。
【００４８】
ＡＳＩＣ２６には、複合機１に所望の指令を入力する操作キー４０を制御するパネルゲートアレイ２７が接続されている。パネルゲートアレイ２７は、操作キー４０の押下（入力）を検出して、所定のコード信号を出力する。このキーコードは、複数の操作キー４０に対応して割り当てられている。ＣＰＵ２１は、パネルゲートアレイ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００４９】
ＡＳＩＣ２６には、ＬＣＤ４１の画面表示を制御するＬＣＤコントローラ２８が接続されている。ＬＣＤコントローラ２８は、ＣＰＵ２１の指令に基づいて、ＬＣＤ４１にプリンタ２又はスキャナ３の動作に関する情報を画面に表示させる。なお、ＬＣＤ４１に表示される画面については、図４から図６を参照して後述する。
【００５０】
また、ＡＳＩＣ２６には、アンプ７３が接続されている。アンプ７３は、そのアンプ７３に接続されたスピーカ７４を鳴動して、呼出音や拒否音、メッセージなどを出力するためのものである。
【００５１】
また、ＡＳＩＣ２６には、コンピュータとパラレルケーブル又はＵＳＢケーブルを介してデータの送受信を行うためのパラレルインタフェース２９及びＵＳＢ端子７１が接続されている。また、ＵＳＢ端子７１には、ＵＳＢケーブルを介して、デジタルカメラやパーソナルコンピュータなどの外部装置を接続可能である。さらに、ＡＳＩＣ２６には、ファクシミリ機能を実現するためのＮＣＵ（Ｎｅｔｗｏｒｋ  Ｃｏｎｔｒｏｌ  Ｕｎｉｔ）３１やモデム３２が接続されている。また、ネットワーク上に存在するコンピュータとデータの送受信を行うための、図示しないネットワークインターフェースを備えていてもよい。
【００５２】
図４から図６を参照して、ファクシミリ送信の際にＬＣＤ４１に表示される画面について説明する。図４は、ＬＣＤ４１に表示される宛先入力画面の一例を示す図である。図４に示すように、宛先入力画面は、長手方向が２分割されて、電話帳検索領域４１１と、送信先領域４１２とから構成される画面である。
【００５３】
電話帳検索領域４１１は、電話帳メモリ２４１（図３参照）に格納された送信相手先名とその電話番号とが表示される領域である。なお、スペースの都合上、電話帳メモリ２４１内の全ての情報を電話帳検索領域４１１に表示できない場合は、表示可能な一部の情報が表示され、操作キー４０（図１参照）からのユーザ操作に従って、表示内容をスクロールすることによって、電話帳メモリ２４１（図３参照）内の全ての情報が順番に表示される。
【００５４】
ユーザは、電話帳検索領域４１１の表示から所望の送信先を設定する。送信先領域４１２は、設定された送信先の送信先名とその電話番号が表示される領域である。このようにして、目的とする送信先が全て設定されると、次に、ＬＣＤ４１は、図５に示す設定画面を表示する。
【００５５】
図５は、ＬＣＤ４１に表示される設定画面の一例を示す図である。図５に示すように、設定画面は、１画面の長手方向が２分割されて、プレビュー領域４１３と、送信先領域４１４とから構成される画面である。
【００５６】
プレビュー領域４１３は、スキャナ３により読み取った全ページ分の画像データについて、その画像データの内容を示すプレビュー画像を並べて表示する領域である。ユーザは、プレビュー領域４１３に表示されたプレビュー画像をページ単位で選択し設定することが可能であり、ユーザによって選択中にあるプレビュー画像は、図５（ａ）に示すように、矩形の太枠で囲まれ、区別して表示される。
【００５７】
送信先領域４１４は、ユーザにより設定された送信先が表示される領域である、送信先領域４１４に表示された送信先のうち、ユーザによって選択中にある送信先のみが別色で区別して表示される。なお、図５（ａ）においては、選択中の送信先が、グレー色で色分けし、区別して表示されている。
【００５８】
図５（ａ）に示すように、設定画面において、１の送信先と１のプレビュー画像とが選択されているときに、ユーザが所定の設定操作を行うと、現在選択中にある送信先に対し、選択中にあるページが対応付けられ、その対応関係が対応メモリ２３２（図３参照）に記憶される。例えば、図５（ａ）に示すように、ページ「Ａ」のプレビュー画像と、送信先「江川○」が選択されているときにユーザが所定の設定操作を行うと、送信先「江川○」に対し、ページ「Ａ」が対応付けられ、その対応関係が、対応メモリ２３２に記憶される。そして、画像データを送信する際には、各送信先には、対応メモリ２３２において対応付けられたページが送信されるから、ページ「Ａ」は、送信先「江川○」へ送信されることとなる。
【００５９】
このようにして、選択中の送信先に対し対応付けられたページ「Ａ」のプレビュー画像は、図５（ｂ）に示すように、別色で区別して表示される。図５（ｂ）においては、既に対応付けがされたプレビュー画像を、グレー色で色分けして表示している。したがって、設定画面を見ることで、ユーザは、例えば、ページ「Ａ」，「Ｂ」，「Ｃ」，「Ｄ」が、送信先「江川○」へ送信される画像データであることを把握できる。
【００６０】
図５（ｂ）に示すように、ＬＣＤ４１において、スキャナ３により読み取った画像データの内容を示すプレビュー画像と、複数の送信先とが１つの画面内に表示されるので、ユーザは、送信先と、プレビュー画像とを同時に視認しつつ設定を行うことができる。よって、送信先とその送信先に送信するページとの対応付けの操作の誤りが生じ難く、送信誤りを抑制することができる。
【００６１】
また、各送信先に対応付けられたページは、その送信先に対して対応付けが設定された設定順序に従って送信される。例えば、送信先「江川○」に対し、まずページ「Ａ」，「Ｂ」，「Ｃ」，「Ｄ」の設定順序で対応付けが設定された場合、送信先「江川○」へは、ページ「Ａ」，「Ｂ」，「Ｃ」，「Ｄ」の送信順序で画像データが送信される。この送信順序は、プレビュー領域４１３において、プレビュー画像の近傍にページ単位で表示される。例えば、図５（ｂ）に示す例では、ページ「Ａ」近傍に「１」が表示され、ページ「Ｂ」近傍に「２」が表示され、ページ「Ｃ」近傍に「３」が表示され、ページ「Ｄ」近傍に「４」が表示される。
【００６２】
このように、設定画面におけるユーザの設定順序に従って、各送信先に対する各ページの送信順序が決定されるので、ユーザは、送信したい順序でページを設定することにより、各送信先に対し、所望のページ送信順序を決定することができる。よって、原稿をセットする際に各ページの読取順序を工夫する必要がなく、ユーザの操作負担を軽減できる。なお、このようにして決定された各ページの送信順序は、各送信先に対応付けて、対応メモリ２３２（図３参照）に格納される。
【００６３】
図６は、ＬＣＤ４１に表示される確認画面の一例を示す図である。図６に示すように、確認画面は、一画面の長手方向が２分割されて、プレビュー領域４１３と、送信先領域４１４とから構成される画面である。図５を参照して説明した設定画面と同様に、プレビュー領域４１３には、スキャナ３により読み取った全ページ分のプレビュー画像が表示される。また、送信先領域４１４に表示された送信先のうち、選択中の送信先が色分けして区別して表示される。
【００６４】
確認画面では、送信先領域４１４において選択中に送信先に対応付けられた画像データのプレビュー画像が、プレビュー領域４１３において、他のプレビュー画像と異なる色で表示されると共に、送信順序がプレビュー画像近傍に表示される。この確認画面によれば、ユーザは、送信ページおよび送信順序を確認したい送信先を選択すれば、その送信先に対応付けられたページのプレビュー画像およびその送信順序を確認することができる。
【００６５】
例えば、図６（ａ）に示すように、送信先「○○○屋」が選択された場合は、その送信先へ送信する画像データ「Ｂ」，「Ｃ」，「Ｄ」，「Ｆ」が異なる色で表示されると共に、送信先「○○○屋」へ送信する場合の画像データの送信順序が表示される。
【００６６】
このように、確認画面によれば、送信先と、その送信先に対応付けられた画像データのプレビュー画像と、その送信順序が１画面中に表示されているので、設定内容を容易に確認できる。
【００６７】
図６（ｂ）は、全ての送信先に関する送信順序を同時に表示する場合の確認画面を示す図である。図６（ｂ）に示すように、全ての送信先に関する送信順序を同時に表示する場合、各送信先に対する送信順序が色分けして表示される。具体的には、送信先領域４１４において送信先を表示する色と同一の色が、プレビュー領域４１３においてその送信先への送信順序を表示するために用いられる。なお、図６はモノクロで描画しているため、表示画面の各色を、それぞれ、白色、グレー色、網掛けで表現している。
【００６８】
例えば、送信先「○○○屋」は、グレー色で表示されているから、プレビュー領域４１３において、グレー色で表示された送信順序が、「○○○屋」へ送信する際の画像データの送信順序である。このようにすれば、送信する画像データおよび送信順序をそれぞれの送信先に対し個別に設定していても、ユーザは、各送信先に対し、送信するページおよび送信順序を容易に確認することができる。
【００６９】
次に、図７から図９のフローチャートを参照して、上記のように構成される複合機１において実行される処理について説明する。
【００７０】
図７は、複数宛先送信処理を示すフローチャートである。図７に示す複数宛先送信処理は、複数宛先への送信の実行がユーザによって指示された場合に起動する処理である。
【００７１】
まず、ＬＣＤ４１に宛先入力画面（図４参照）を表示する（Ｓ２）。ユーザは、宛先入力画面において、送信先を設定する。なお、図４を参照して説明したように、宛先入力画面において、ユーザが目的とする送信先を設定すると、その設定した送信先は、宛先入力画面の送信先領域４１２に表示される。
【００７２】
次に、送信先領域４１２に設定された送信先が表示された状態で、ユーザが所定の操作を行うことにより、送信先の設定を完了したか否かを判断する（Ｓ４）。送信先の設定が完了しない間は（Ｓ４：Ｎｏ）、処理を待機する。一方、送信先の設定が完了すると（Ｓ４：Ｙｅｓ）、ＡＤＦ７の原稿トレイ９（図１参照）に載置されている原稿を読み込み、スキャナ３によりその全ページ分の画像データを読み取り、画像データメモリ２３１（図３参照）に格納する（Ｓ６）。
【００７３】
次に、複数の送信先に対し、ページを対応付け、各送信先に対しページの送信順序を決定する対応決定処理を実行する（Ｓ８）。この対応決定処理については、図８を参照して後述する。次に、ユーザによって、操作キー４０のスタートキー（図示せず）が押下されたか否かを判断する（Ｓ１０）。スタートキーが押下されない間（Ｓ１０：Ｎｏ）、処理を待機するが、スタートキーが押下されると（Ｓ１０：Ｙｅｓ）、各送信先に画像データを送信する（Ｓ１２）。この送信は、対応決定処理（Ｓ８）によって決定された送信先とページとの対応関係およびページの送信順序に従って行う。
【００７４】
複数宛先送信処理によれば、スキャナ３による画像データの読み取りは１回だけで、複数の送信先に個別に画像データを送信できるので、ユーザの操作負担を軽減することができる。また、各送信先に対するページの送信順序は、対応決定処理（Ｓ８）によって決定されるため、スキャナ３で画像データを読み取る際のページ順序は任意で良く、ページの送信順序を考慮して、原稿を揃える必要がなく、その点でもユーザの操作負担を軽減することができる。
【００７５】
図８は、対応決定処理（Ｓ８）を示すフローチャートである。対応決定処理では、まず、設定画面（図５参照）をＬＣＤ４１に表示する（Ｓ８１）。次に、設定画面の送信先領域４１４に、ユーザによって設定された送信先一覧を表示し（Ｓ８２）、スキャナ３により読み取った全ページ分の画像データのプレビュー画像を、プレビュー領域４１３に表示する（Ｓ８４）。これにより、ユーザは、送信先一覧と、全ページ分のプレビュー画像とを一目で把握することができる。
【００７６】
次に、設定画面において表示されたプレビュー画像および送信先一覧のうち、選択対象の変更が指示されたか否かを判断する（Ｓ８６）。図５を参照して上述したように、設定画面において、プレビュー領域４１３に表示されたプレビュー画像のうち、１ページのプレビュー画像が選択中のプレビュー画像として区別して表示され、送信先領域４１４にある送信先一覧のうち、いずれか１つの送信先が、選択中の送信先として区別して表示されている。ユーザは、操作キー４０から操作することにより、選択対象のプレビュー画像および送信先を任意に変更することができる。
【００７７】
選択対象の変更が指示された場合、ユーザの操作に応じて選択対象のプレビュー画像または選択対象の送信先を変更し（Ｓ８７）、Ｓ８８の処理に進む。一方、選択対象の変更が指示されなかった場合（Ｓ８６：Ｎｏ）、Ｓ８７の処理をスキップし、Ｓ８８の処理に進む。
【００７８】
次に、選択中の送信先に対し、選択中のページを設定するか否かを判断する（Ｓ８８）。選択中のページが設定されない場合（Ｓ８８：Ｎｏ）、Ｓ８６に戻り処理を繰り返す。一方、選択中のページを設定する場合（Ｓ８８：Ｙｅｓ）、現在選択中にある送信先と、現在選択中にあるページとの対応付けを設定し、対応メモリ２３２（図３参照）へ記憶する（Ｓ８９）。そして、その送信先に対しそのページを設定した設定順序に従って、その送信先に対するそのページの送信順序を決定し、対応メモリ２３２へ記憶する（Ｓ９０）。
【００７９】
次に、対応付けられたページのプレビュー画像の表示色をページ単位で変更し（Ｓ９１）、且つ、その表示色が変更されたプレビュー画像の近傍に、決定された各ページの送信順序を表示する（Ｓ９２）。
【００８０】
次に、今までに設定した対応関係の確認が、ユーザによって指示されたか否かを判断する（Ｓ９４）。対応関係の確認がユーザによって指示されない場合（Ｓ９４：Ｎｏ）、Ｓ９６をスキップしてＳ９８へ進むが、対応関係の確認がユーザによって指示された場合（Ｓ９４：Ｙｅｓ）、今までに設定した対応関係をＬＣＤ４１に表示する対応確認処理を実行する（Ｓ９６）。なお、対応確認処理については、図９を参照して後述する。
【００８１】
次に、対応関係の設定が完了したか否かを判断する（Ｓ１００）。操作キー４０から所定の操作を行うことにより、ユーザが対応関係の設定完了を指示した場合（Ｓ１００：Ｙｅｓ）、対応決定処理を終了するが、対応関係の設定完了をユーザが指示しない場合（Ｓ１００：Ｎｏ）、Ｓ８６に戻り処理を繰り返す。
【００８２】
対応決定処理によれば、ユーザは、各送信先に対し送信するページの対応付けを設定し、且つその設定順序に基づいて、各送信先に対するページの送信順序を決定することができる。
【００８３】
図９は、対応確認処理（Ｓ９６）を示すフローチャートである。対応確認処理では、まず、確認画面（図６参照）をＬＣＤ４１に表示する（Ｓ９６１）。次に、確認画面の送信先領域４１４に表示された送信先から、確認対象の送信先が設定されたか否かを判断する（Ｓ９６２）。確認対象の送信先が設定されない間は（Ｓ９６２：Ｎｏ）、待機する。
【００８４】
そして確認対象の送信先が設定されると（Ｓ９６２：Ｙｅｓ）、次に、設定された送信先に既に対応付けられたプレビュー画像の表示色をページ単位で変更し（Ｓ９６４）、プレビュー画像近傍に、各ページの送信順序を表示する（Ｓ９６６）。
【００８５】
次に、他の送信先に対するページの送信順序を併せて表示するか否かをユーザに問い合わせる（Ｓ９６８）。他の送信先に対するページの送信順序の表示をユーザが選択した場合（Ｓ９６８：Ｙｅｓ）、残りの送信先に対するページの送信順序を所定時間表示し（Ｓ９７０）、対応確認処理を終了する。すなわち、図６（ｂ）で説明したように、全ての送信先に対する送信順序を表示する。この場合、各送信先毎のそれぞれの送信順序を確認できるように、送信順序は各送信相手先毎に色分けして表示される。
【００８６】
一方、他の送信先に対するページの送信順序の表示が選択されなかった場合（Ｓ９６８：Ｎｏ）、Ｓ９７０をスキップして対応確認処理を終了する。この対応確認処理によれば、複数の送信先と、各送信先に送信するページと、そのページの送信順序とが色分けして１画面に表示されるので、送信先が複数であっても、ユーザにとってそれらの対応関係が分かりやすく、ユーザは、設定内容を容易に把握することができる。
【００８７】
また、ユーザは、送信先とページとの対応関係を決定する対応決定処理（Ｓ８）の途中で、対応確認処理（Ｓ９６）により既に設定済みの対応関係を確認することができる。すなわち、既に設定した対応関係を確認しつつ、残りの対応関係の設定することができるので、対応関係の設定をより容易に行うことができる。
【００８８】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８９】
例えば、実施形態として説明した図８の対応決定処理（Ｓ８）は、全ページ分のプレビュー画像を、設定画面のプレビュー領域４１３に一度に表示していた。これに替えて、所定ページ分（例えば６ページ分）の画像データのプレビュー画像を表示対象としてプレビュー領域に並べて表示し、ユーザの操作に応じて画面の表示内容をスクロールし、表示対象のプレビュー画像を変更可能に構成しても良い。以下、変形例の対応決定処理について説明する。
【００９０】
図１０は、変形例の対応決定処理（Ｓ８０）のフローチャートである。この変形例の対応決定処理（Ｓ８０）は、Ｓ８７１、Ｓ８７２のステップが設けられている点のみが、図８で示した実施形態の対応決定処理（Ｓ８）と異なる。よって、図８で示した対応決定処理（Ｓ８）と同じステップについては同一の符号を付して説明を省略する。
【００９１】
この変形例の対応決定処理（Ｓ８０）では、ＬＣＤ４１に表示された設定画面において、選択中の送信先またはページに対し、ユーザが選択対象の変更を指示したか否かを判断した後（Ｓ８６）、次に、プレビュー領域４１３のスクロールがユーザによって指示されたか否かを判断する（Ｓ８７１）。ユーザによってスクロールが指示された場合（Ｓ８７１：Ｙｅｓ）、プレビュー領域４１３の表示内容をスクロールし、表示対象のプレビュー画像を変更し（Ｓ８７２）、Ｓ８８へ進む。
【００９２】
一方、プレビュー領域４１３のスクロールがユーザによって指示されなかった場合（Ｓ８７１）、Ｓ８７２はスキップしてＳ８８へ進む。
【００９３】
図１０に示す変形例の対応決定処理（Ｓ８０）によれば、プレビュー領域４１３には、所定ページ分のプレビュー画像が表示されるので、各々のプレビュー画像をユーザにとって見易い適切な大きさで表示することができる。また、スクロールにより表示対象のプレビュー画像を変更することができるので、スキャナにより読み取ったページ数が多い場合であっても、ユーザは、順次全ページを視認することができる。
【００９４】
また、プレビュー領域４１３に、プレビュー画像を１ページずつ表示するように構成してもよい。
【００９５】
また、実施形態として説明した図９の対応確認処理（Ｓ９６）では、１の送信先に対応するページのプレビュー画像を色分けして表示し、且つそのプレビュー画像近傍にページの送信順序を表示した後、ユーザが所定の操作をした場合には、全ての送信先に関し、送信するページの送信順序を表示していた。これに替えて、ユーザによって選択された送信先に関してのみ、送信順序を表示するように構成してもよい。以下、変形例の対応確認処理について説明する。
【００９６】
図１１は、変形例の対応確認処理（Ｓ９６０）のフローチャートである。なお、この変形例の対応確認処理（Ｓ９６０）は、Ｓ９７０のステップを備えていない点、およびＳ９６８の判断が否定された場合にＳ９６２に戻る点において、図９で示した実施形態の対応確認処理（Ｓ９６）と異なる。よって、図９で示した対応確認処理（Ｓ９６）と同じステップについては同一の符号を付して説明を省略する。
【００９７】
この変形例の対応確認処理（Ｓ９６０）では、ユーザによって設定された送信先について、その送信先に対応するページのプレビュー画像の表示色を変更し（Ｓ９６４）、プレビュー画像近傍に各ページの送信順序を表示した後（Ｓ９６６）、他の送信先に対するページの送信順序を表示するか否かを判断し（Ｓ９６８）、他の送信先に対するページの送信順序を表示しないことがユーザによって選択された場合（Ｓ９６８：Ｎｏ）、対応確認処理を終了する。
【００９８】
一方、他の送信先に対するページの送信順序の表示をユーザが選択した場合（Ｓ９６８：Ｙｅｓ）、Ｓ９６２に戻り、次の確認対象の送信先が設定されたか否かを判断する（Ｓ９６２）。そして、次の確認対象の送信先がユーザによって設定された場合（Ｓ９６２：Ｙｅｓ）、その新たに設定された確認対象の送信先に関し、対応するページのプレビュー画像の表示色を変更する（Ｓ９６４）。次に、新たに設定された確認対象の送信先に関し、対応するページの送信順序を表示する（Ｓ９６６）。この場合、その先に表示されている送信順序とは異なる色を用いて表示することにより、新たに表示した送信順序が区別できるようにする。
【００９９】
変形例の対応確認処理によれば、ユーザにとって必要な送信先に関してのみ、送信順序を表示することができ、送信先が多い場合であっても、ユーザにとって分かりやすい表示をすることができる。
【０１００】
また上記実施形態では、複数の機能を実現する複合機１に対し本発明を適用したが、画像データを読み取るスキャナ３に相当する構成と、画像データを送信する構成とを備えているものであれば本発明を適用することができ、例えば、ファクシミリ装置にも本発明を適用することができる。
【０１０１】
また上記実施形態では、スキャナ３により読み取った画像データをファクシミリ送信する場合に本発明を適用したが、スキャナ３で読み取った画像データを、ネットワークインターフェイスなどの接続手段を介して接続された他のパーソナルコンピュータに送信する際においても、本発明を適用し、パーソナルコンピュータのアドレス（送信先に相当）と画像データのプレビュー画像とを並べて表示する設定画面を表示するように構成してもよい。
【図面の簡単な説明】
【０１０２】
【図１】本発明における実施形態の複合機の外観構成を示す斜視図である。
【図２】原稿カバーが開けられた状態の複合機の外観構成を示す斜視図である。
【図３】複合機の制御部の概略構成を示すブロック図である。
【図４】ＬＣＤに表示される宛先入力画面の一例を示す図である。
【図５】ＬＣＤに表示される設定画面の一例を示す図である。
【図６】ＬＣＤに表示される確認画面の一例を示す図である。
【図７】複数宛先送信処理を示すフローチャートである。
【図８】対応決定処理を示すフローチャートである。
【図９】対応確認処理を示すフローチャートである。
【図１０】変形例の対応決定処理のフローチャートである。
【図１１】変形例の対応確認処理のフローチャートである。
【符号の説明】
【０１０３】
１                    複合機（画像処理装置の一例）
３                    スキャナ（読取手段の一例）
４１                  ＬＣＤ（送信情報表示手段の一例、設定送信先表示手段の一例）
２４１                電話帳メモリ（送信先情報記憶手段の一例）
Ｓ１２                  送信手段の一例
Ｓ８                    対応決定処理（対応設定手段の一例）
Ｓ８１，Ｓ８２，Ｓ８４  送信情報表示手段の一例
Ｓ８９                  プレビュー画像設定手段の一例
Ｓ９０                  送信順序決定手段の一例
Ｓ９２                  送信順序表示手段の一例
Ｓ８７２                スクロール手段の一例
Ｓ９６６，Ｓ９７０      送信順序表示手段の一例
【図１】
2008148052.tif 000003
【図２】
2008148052.tif 000004
【図３】
2008148052.tif 000005
【図４】
2008148052.tif 000006
【図５】
2008148052.tif 000007
【図６】
2008148052.tif 000008
【図７】
2008148052.tif 000009
【図８】
2008148052.tif 000010
【図９】
2008148052.tif 000011
【図１０】
2008148052.tif 000012
【図１１】
2008148052.tif 000013